(57)【要約】【課題】建物躯体相互の近接方向への相対変位時に、カバー板がスムーズに上方向に退避移動し得るようにした天井用目地カバー装置を提供する。【解決手段】少なくとも一方に天井板４ａを備えた建物躯体ｘ，ｙ相互間の、前記天井板４ａの側部の目地ｓを覆うカバー板１１を備え、該カバー板１１を支持する支持枠体１２の一端が、他方の建物躯体ｙにスライド機構１５を介して上方向に退避移動可能に連結されるとともに、一方の建物躯体ｘの前記天井板４ａ側に位置するカバー板１１の端縁に、下面から端縁上面に向けて傾斜する傾斜面１８が形成され、該傾斜面１８に対向する天井板４ａの端縁に配設される突き合わせ部材１９に前記傾斜面１８と同方向に傾斜する押上げ斜面２０が形成された天井用目地カバー装置１にあって、前記スライド機構１５を、その上部側が一方の建物躯体ｘから離れる方向に傾斜させて配設した。【選択図】図１
0003157879.tif 000002
【実用新案登録請求の範囲】
【請求項１】
目地を介して隣接し、かつ少なくとも一方に天井板を備えた建物躯体相互間の、前記天井板の側部の目地を覆うカバー板を備え、該カバー板を支持する支持枠体の一端が、他方の建物躯体にスライド機構を介して上方向に退避移動可能に連結されるとともに、前記天井板側に位置するカバー板の端縁に、下面から端縁上面に向けて傾斜する傾斜面が形成され、該傾斜面に対向する天井板の端縁に配設される突き合わせ部材に前記傾斜面と同方向に傾斜する押上げ斜面が形成された天井用目地カバー装置において、
前記スライド機構が、その上部側を一方の建物躯体から離れる方向に傾斜させて配設されていることを特徴とする天井用目地カバー装置。
【請求項２】
スライド機構が、ガイドレールと該ガイドレール内を長手方向に沿って摺動可能なスライダーとからなり、該ガイドレールとスライダーの、その何れか一方が支持枠体に固定され、他方が建物躯体に固定されていることを特徴とする請求項１記載の天井用目地カバー装置。
【請求項３】
ガイドレールが断面略コ字形に形成され、その両側縁の内面に円弧状に窪んだ内面溝が長手方向に沿って夫々形成される一方、スライダーの長手方向に沿う両側縁の外面に、前記内面溝に対向する円弧状に窪んだ外面溝が夫々形成され、各一対の内面溝と外面溝間にリテナーによって列状に保持された複数のボールが転動可能に介装されていることを特徴とする請求項２記載の天井用目地カバー装置。
【考案の詳細な説明】
【技術分野】
【０００１】
本考案は、隣接する建物躯体の天井部に位置する目地を覆う天井用目地カバー装置に関する。
【背景技術】
【０００２】
近年、地震による被害を最小限に留めるために、緩衝機能を備えた免震装置によって下部を支持した建物が多く建設されている。
【０００３】
かかる免震構造の建物にあって、隣接する建物躯体の天井部に位置する目地を覆うカバー板を、建物躯体相互が近接する方向に相対変位した場合に上方に退避させ得るようにした天井用目地カバー装置が知られている（特許文献１参照）。
【０００４】
この天井用目地カバー装置ａは、図６に示すように、天井板ｔの側部の目地ｓを覆うカバー板ｃを備え、該カバー板ｃを支持する支持枠体ｂの一端が、一方の建物躯体ｈにスライド機構ｄを介して上方向に退避移動可能に連結されるとともに、前記天井板ｔ側に位置するカバー板ｃの端縁に、下面から端縁上面に向けて傾斜する傾斜面ｅが形成され、該傾斜面ｅに対向する天井板ｔの端縁に配設される突き合わせ部材ｆに前記傾斜面ｅと同方向に傾斜する押上げ斜面ｇが形成されている。
【先行技術文献】
【特許文献】
【０００５】
【特許文献１】特開２００２−３４８９７２号公報
【考案の概要】
【考案が解決しようとする課題】
【０００６】
ところで、従来の天井用目地カバー装置ａにあっては、天井板ｔを支持する他方の建物躯体（図示省略）と建物躯体ｈとが近接する方向に相対変位すると、カバー板ｃの傾斜面ｅが天井板ｔ側の突き合わせ部材ｆの押上げ斜面ｇ上を摺動して天井板ｔの裏方にずれ上がり、同時に支持枠体ｂ全体がスライド機構ｄのスライド作用を介して上方へ移動するとされているが、かかる天井用目地カバー装置ａを試作して動作検証をしたところ、カバー板ｃの傾斜面ｅが押上げ斜面ｇによって水平方向から押されると、カバー板ｃの後端がレベル調整機構のボルトｊを介して壁面ｈ’に押し付けられた状態となり、同時に傾斜面ｅがあるカバー板ｃの前端に、スライド機構ｄを中心とする上方向への回転モーメントが生じる状態となって、支持枠体ｂ全体がスムーズに上方移動し難い現象が生じることがあった。このような現象が生じる原因を究明するために種々構成を代えて実験を繰り返した結果、この現象は、支持枠体ｂの一端を建物躯体ｈにスライド可能に連結しているスライド機構ｄが、建物躯体ｈの壁面ｈ’に沿って垂直に配設されているために生じていることが判明した。
【０００７】
本考案は、かかる従来構成の問題点を解消し、建物躯体相互の近接方向への相対変位時に、カバー板がスムーズに上方向に退避移動し得るようにした天井用目地カバー装置を提供することを目的とするものである。
【課題を解決するための手段】
【０００８】
本考案は、目地を介して隣接し、かつ少なくとも一方に天井板を備えた建物躯体相互間の、前記天井板の側部の目地を覆うカバー板を備え、該カバー板を支持する支持枠体の一端が、他方の建物躯体にスライド機構を介して上方向に退避移動可能に連結されるとともに、前記天井板側に位置するカバー板の端縁に、下面から端縁上面に向けて傾斜する傾斜面が形成され、該傾斜面に対向する天井板の端縁に配設される突き合わせ部材に前記傾斜面と同方向に傾斜する押上げ斜面が形成された天井用目地カバー装置において、前記スライド機構が、その上部側を一方の建物躯体から離れる方向に傾斜させて配設されていることを特徴とする天井用目地カバー装置である。
【０００９】
ここで、本考案にかかる天井用目地カバー装置は、隣接する建物躯体の天井板相互間の目地をカバー板で覆う配設態様と、隣接する建物躯体の一方が天井板を備え、他方の建物躯体が壁であって、該壁と前記天井板の側部間の目地をカバー板で覆う配設態様の何れの配設態様にも適用され得る。
【００１０】
前記天井用目地カバー装置にあって、スライド機構が、ガイドレールと該ガイドレール内を長手方向に沿って摺動可能なスライダーとからなり、該ガイドレールとスライダーの、その何れか一方が支持枠体に固定され、他方が建物躯体に固定されている構成が提案され得る。
【００１１】
また、前記ガイドレールが断面略コ字形に形成され、その両側縁の内面に円弧状に窪んだ内面溝が長手方向に沿って夫々形成される一方、前記スライダーの長手方向に沿う両側縁の外面に、前記内面溝に対向する円弧状に窪んだ外面溝が夫々形成され、各一対の内面溝と外面溝間にリテナーによって列状に保持された複数のボールが転動可能に介装されている構成が提案され得る。
【考案の効果】
【００１２】
本考案は、上述したように、支持枠体の一端を他方の建物躯体に上方向に退避移動可能に連結するスライド機構が、その上部側を一方の建物躯体から離れる方向に傾斜させて配設されていることにより、隣接する建物躯体相互の近接方向への相対変位時に、カバー板の傾斜面が押上げ斜面によって水平方向から押されると、カバー板を他方の建物躯体側に押す力の一部が上方向への分力となってスライド機構に作用するため、該スライド機構を介して他方の建物躯体に連結されている支持枠体の一端がカバー板とともに上昇し、同時に傾斜面があるカバー板の前端に生じる上方向への回転モーメントによってカバー板の前端も上昇するので、支持枠体とともにカバー板をスムーズに上方向に退避移動させることができる。
【００１３】
また、前記スライド機構が、ガイドレールと該ガイドレール内を長手方向に沿って摺動可能なスライダーとからなり、該ガイドレールとスライダーの、その何れか一方が支持枠体に固定され、他方が建物躯体に固定されている構成にあっては、スライド機構を、ガイドレールとスライダーが分離不能に組み付けられた一体型とし得るので、支持枠体及び建物躯体との固定を容易に行うことができる。
【００１４】
また、前記ガイドレールが断面略コ字形に形成され、その両側縁の内面に円弧状に窪んだ内面溝が長手方向に沿って夫々形成される一方、前記スライダーの長手方向に沿う両側縁の外面に、前記内面溝に対向する円弧状に窪んだ外面溝が夫々形成され、各一対の内面溝と外面溝間にリテナーによって列状に保持された複数のボールが転動可能に介装されている構成にあっては、ガイドレールの両側縁とスライダーの両側縁間に介装された複数のボールの転動作用を介して、スライダーが極めて円滑に摺動するので、支持枠体の一端を小さな力で容易に上昇させることができる。
【図面の簡単な説明】
【００１５】
【図１】本考案にかかる天井用目地カバー装置１の施工状態を示す正面図である。
【図２】同上の天井用目地カバー装置１の正面図である。
【図３】同上の天井用目地カバー装置１の平面図である。
【図４】（Ａ）はスライド機構１５の正面図、（Ｂ）は該スライド機構１５の拡大横断面図である。
【図５】本考案にかかる天井用目地カバー装置１の作用を示す説明図である。
【図６】従来構成の天井用目地カバー装置ａの正面図である。
【考案を実施するための形態】
【００１６】
以下に本考案の一実施例を、図１〜図５に基づいて説明する。
【００１７】
本考案に係る天井用目地カバー装置１は、図１に示すように、目地ｓを介して隣接する建物躯体ｘ，ｙの天井部の目地位置に配設される。ここで、図示省略されているが、隣接する建物躯体ｘ，ｙは、その一方あるいは両方とも、緩衝機能を備えた免震装置によって下部が支持されており、免震構造となっている。両建物躯体ｘ，ｙの下面から夫々垂設された吊持杆２ａ，２ｂには天井支持杆３ａ，３ｂが横架されており、該天井支持杆３ａ，３ｂの下面に天井板４ａ，４ｂが水平に支持されている。ここで、一方の建物躯体ｘに配設された天井板４ａの目地ｓ側の端縁部分は、補強フレーム５によって建物躯体ｘの下面に強固に固定されている。前記天井板４ａ，４ｂは同一高さ位置で所定の間隙を介して離隔しており、該間隙内に常時は天井板４ａ，４ｂの下面と面一となるようにして目地ｓを覆うカバー板１１を備えた支持枠体１２が配設されている。
【００１８】
前記カバー板１１は、図２に示すように、支持枠体１２の下面に複数のビス１３で固着することにより該支持枠体１２に支持されている。支持枠体１２は、図３に示すように、目地ｓの幅方向に沿う角パイプからなる複数の枠杆１４ａと，目地ｓの長手方向に沿う角パイプからなる複数の枠杆１４ｂとを矩形枠状に組み付けて形成されており、該支持枠体１２の建物躯体ｙ側の一端がスライド機構１５，１５を介して建物躯体ｙに連結されている。
【００１９】
ここで、支持枠体１２の、目地ｓの長手方向両端部に位置する枠杆１４ａ，１４ａには、該枠杆１４ａ，１４ａに基部が固定された一対の支持ブラケット１６，１６が建物躯体ｙ側に向けて延設されており、該支持ブラケット１６，１６の先端部がスライド機構１５，１５を構成するスライダー２２，２２にボルト３１ａとナット３１ｂ（図４（Ｂ）参照）で固定されている。
【００２０】
また、建物躯体ｘの天井板４ａ側に位置するカバー板１１の端縁には、下面から該端縁外端の上面に向けて昇り勾配で傾斜する傾斜面１８が形成されており、該傾斜面１８に対向する天井板４ａの端縁には、前記傾斜面１８と同方向に傾斜する押上げ斜面２０が形成された突き合わせ部材１９が配設されている。
【００２１】
前記スライド機構１５，１５は、図４（Ａ），（Ｂ）に示すように、夫々ガイドレール２１と該ガイドレール２１内を長手方向に沿って摺動可能なスライダー２２とを備えている。ガイドレール２１は断面略コ字形に形成され、その両側縁の内面には円弧状に窪んだ内面溝２３，２３が長手方向に沿って夫々形成されている。一方、スライダー２２には長手方向に沿う両側縁の外面に、前記内面溝２３，２３に対向する円弧状に窪んだ外面溝２４，２４が夫々形成されており、各一対の内面溝２３と外面溝２４間にリテナー２５によって列状に保持された複数のボール２６が転動可能に介装されている。これらのガイドレール２１，スライダー２２，リテナー２５，ボール２６の各部品が分離不能に組み付けられて一体型のスライド機構１５が構成されており、ガイドレール２１内をスライダー２２がボール２６の転動作用を介して長手方向にスムーズに摺動し得るようになっている。
【００２２】
スライド機構１５，１５のガイドレール２１，２１は、取付用フレーム２７（図２参照）から突設された一対の固定ブラケット２８，２８にボルト３２ａとナット３２ｂ（図４（Ｂ）参照）で固定されている。ここで、スライド機構１５，１５は、その上部側が一方の建物躯体ｘから離れる方向に傾斜させて配設されている。この傾斜角は、８〜１２°に設定することが好ましい。前記取付用フレーム２７は、建物躯体ｙから垂設された固定フレーム２９（図１参照）に支持されており、これによって、支持枠体１２の一端が、建物躯体ｙにスライド機構１５，１５を介して上方向に退避移動可能に連結されている。
【００２３】
その他、天井用目地カバー装置１には、螺子の螺進作用を介してカバー板１１のレベル位置を調整するレベル調整装置３０ａ，３０ｂ（図２参照）が設けられている。
【００２４】
かかる構成にあって、カバー板１１は、常時は図１に示すように、天井板４ａ，４ｂの下面と面一となる高さ位置で目地ｓを覆っている。そして、地震時において、隣接する建物躯体ｘ，ｙが近接する方向に相対変位して、カバー板１１の傾斜面１８が突き合わせ部材１９の押上げ斜面２０によって水平方向から押されると、スライド機構１５，１５の上端部が一方の建物躯体ｘから離れる方向に傾斜していることにより、カバー板１１を他方の建物躯体ｙ側に水平に押す力の一部が上方向への分力となってスライダー２２，２２を押し上げるため、該スライダー２２，２２に固定されている支持枠体１２の一端がカバー板１１とともに上昇し、同時に傾斜面１８があるカバー板１１の前端に生じる上方向への回転モーメントによってカバー板１１の前端も上昇するので、図５に示すように、支持枠体１２とともにカバー板１１をスムーズに上方向に退避移動させることができる。そして、このように上方向に退避移動したカバー板１１は、突き合わせ部材１９の上端部に支持されてその上方向への退避移動位置が保持される。また、建物躯体ｘ側の天井板４ａは、上方向へ退避移動したカバー板１１の下部を相対変位に応じて進退することとなる。一方、地震が終わって建物躯体ｘ側の天井板４ａが定常位置に戻ると、突き合わせ部材１９の上端部によるカバー板１１の保持作用がなくなり、支持枠体１２は自重によってスライダー２２，２２を降下させるので、カバー板１１は、図１に示す定常位置に戻る。
【００２５】
尚、上記実施例では、スライド機構１５のスライダー２２を支持枠体１２に固定し、ガイドレール２１を建物躯体ｙ側に固定するようにしているが、スライダー２２とガイドレール２１は、その固定対象を逆にすることも可能である。また、上記実施例では、２つのスライド機構１５，１５を用いて支持枠体１２の一端を他方の建物躯体ｙに退避移動可能に連結するようにしてるが、スライド機構１５は２つに限定されるものではなく、３つ以上の複数とすることも可能であり、このようにスライド機構１５の数を増やすことによって、スライド機構１５による支持枠体１２の支持強度を向上させることができる。
【００２６】
さらに、上記実施例では、隣接する建物躯体ｘ，ｙの天井板４ａ，４ｂ相互間の目地ｓをカバー板１１で覆う天井用目地カバー装置１の配設態様について説明したが、従来構成（図６参照）のように、隣接する一方の建物躯体ｘが天井板４ａを備え、他方の建物躯体ｙが垂直壁である場合でも本考案にかかる天井用目地カバー装置１を配設することが可能である。
【符号の説明】
【００２７】
１  天井用目地カバー装置
４ａ，４ｂ  天井板
１１  カバー板
１２  支持枠体
１５  スライド機構
１８  傾斜面
１９  突き合わせ部材
２０  押上げ斜面
２１  ガイドレール
２２  スライダー
２３  内面溝
２４  外面溝
２５  リテナー
２６  ボール
ｓ  目地
ｘ  建物躯体
ｙ  建物躯体
【図１】
0003157879.tif 000003
【図２】
0003157879.tif 000004
【図３】
0003157879.tif 000005
【図４】
0003157879.tif 000006
【図５】
0003157879.tif 000007
【図６】
0003157879.tif 000008